(57)【要約】      （修正有）【課題】浴槽の側壁に把手を固定する構成としても、把手及びその周辺の清掃を容易に行うことができ、また、浴槽内部をあまり狭くすることなく、把手を握り易くした浴槽を提供する。【解決手段】平面視略方形の第１浴槽部１１と、これに連なるとともに第１浴槽部１１よりも幅の狭い平面視略方形の第２浴槽部１２と、第１及び第２浴槽部間の傾斜側壁１５とを含んで浴槽１０が構成されている。傾斜側壁１５は第１浴槽部１１から第２浴槽部１２に向かって次第に幅が狭くなるように設けられており、当該傾斜側壁１５のみを支持面として、基端部が1つのみの把手２０が固定されている。また、把手２０が固定された傾斜側壁１５と第１側壁１１Ａとに肘置き部１３が設けられている。【選択図】図１
2013099374.tif 000002
【特許請求の範囲】
【請求項１】
平面視略方形の第１浴槽部と、当該第１浴槽部よりも幅狭の平面視略方形の第２浴槽部とを含み、これら第１及び第２浴槽部間の側壁部分が第１浴槽部から第２浴槽部に向かって次第に幅が狭くなる傾斜側壁とされた浴槽であって、
前記傾斜側壁のみを支持面として、基端部が１つのみの把手が固定されていることを特徴とする浴槽。
【請求項２】
前記把手が固定された傾斜側壁と第１浴槽部の側壁とに肘置き部が設けられていることを特徴とする請求項１記載の浴槽。
【発明の詳細な説明】
【技術分野】
【０００１】
本発明は浴槽に係り、更に詳しくは、内面側に把手を固定した浴槽に関し、例えば、浴槽内で立ち上がるときに、把手を握って動作の補助として利用することのできる浴槽に関する。
【背景技術】
【０００２】
浴槽を構成する側壁の内面側に把手を固定し、これを掴むことで、立ち上がり動作を補助できるようにした構成が知られている（例えば、特許文献１）。同文献に記載された浴槽は、相対する側壁の中間部に段部をそれぞれ設けることで、幅広の浴槽部と幅狭の浴槽部とを形成するとともに、側壁の段部形成領域を利用して握りバー（把手）を固定した構成が採用されている。
【先行技術文献】
【特許文献】
【０００３】
【特許文献１】実公昭６１−１９７４４号公報
【発明の概要】
【発明が解決しようとする課題】
【０００４】
しかしながら、特許文献１に記載された浴槽は、握りバーの一端側が側壁の段部に固定される一方、把手の他端側が側壁に固定されるようになっている。つまり、握りバーが段部と側壁に跨る状態で固定される構成となっている。従って、握りバーと側壁との間に空間が生じてしまい、この空間を形成する周囲が清掃し難くなる、という不都合を招来する。
また、浴槽の側壁の段部と浴槽の側壁に跨る状態で固定される握りバーは、必然的に大きなものになることから、浴槽内部を部分的に狭めてしまうことにもなる。
【０００５】
［発明の目的］
本発明の目的は、側壁に把手を固定する構成としても、把手及びその周辺の清掃を容易に行うことのできる浴槽を提供することにある。
また、本発明の他の目的は、浴槽内部をあまり狭くすることなく、把手を握り易くした浴槽を提供することにある。
【課題を解決するための手段】
【０００６】
前記目的を達成するため、本発明は、特許請求の範囲記載の構成を採用したものである。具体的には、平面視略方形の第１浴槽部と、当該第１浴槽部よりも幅狭の平面視略方形の第２浴槽部とを含み、これら第１及び第２浴槽部間の側壁部分が第１浴槽部から第２浴槽部に向かって次第に幅が狭くなる傾斜側壁とされた浴槽であって、
前記傾斜側壁のみを支持面として浴槽に固定される基端部が１つのみの把手が固定される、という構成を採っている。ここでいう基端部とは、浴槽に当接する着座面をいう。
【０００７】
本発明において、前記把手が固定された傾斜側壁と第１浴槽部の側壁に肘置き部が設けられる、という構成を採るとよい。
【発明の効果】
【０００８】
本発明によれば、第１浴槽部及び第２浴槽部間に傾斜側壁を設け、当該傾斜側壁のみを支持面として基端部が1つのみの把手を固定する構成としたから、把手と傾斜側壁との間に空間を形成することがなく、従来構造に比べ、清掃の容易化を図ることができる。
しかも、把手を傾斜側壁のみに固定していることから、把手の高さを高くして把手を握り易くしても、浴槽内部において、その幅方向への突出量が小さく、浴槽内部の最小幅をあまり減少させることがない。ここでいう把手の高さとは基端部から把手先端までの寸法をいい、浴槽内部の幅方向とは、浴槽の長手方向に直行する方向をいい、浴槽内部の最小幅とは対向する把手の先端間距離をいう。
【図面の簡単な説明】
【０００９】
【図１】実施形態に係る浴槽の概略平面図。
【図２】図１のＡ−Ａ線断面図。
【図３】（Ａ）は把手の斜視図、（Ｂ）は把手を異なる方向から見た斜視図、（Ｃ）は把手の平面図、（Ｄ）把手の断面図、（Ｅ）は（Ｃ）の右側面図。
【図４】図１の要部拡大図。
【図５】図２の要部拡大断面図。
【発明を実施するための形態】
【００１０】
以下、本発明の実施形態について図面を参照しながら説明する。
【００１１】
図１において、浴槽１０は、平面視略方形の第１浴槽部１１と、当該第１浴槽部１１よりも幅狭の平面視略方形の第２浴槽部１２とを備えて構成されている。第１浴槽部１１は長手方向（図１中上下方向）に沿って延びるとともに相互に略平行な一対の第１側壁１１Ａと、これら第１側壁１１Ａの一端部（同図下端部）間に位置する第１端壁１１Ｂとを含む。第１側壁１１Ａは、図２に示されるように、下半部を上半部の左右幅よりも狭くするように形成することで中間部に肘置き部１３を備えた形状となっている。
【００１２】
前記第２浴槽部１２は、長手方向に沿って延びるとともに前記第１側壁１１Ａ間の幅よりも幅狭となる一対の第２側壁１２Ａと、前記第１端壁１１Ｂと相対に位置する第２端壁１２Ｂとを含む。第１側壁１１Ａと第２側壁１２Ａは傾斜側壁１５によって一連に設けられており、当該傾斜側壁１５は、第１浴槽部１１から第２浴槽部１２に向かって次第に幅が狭くなるように設けられている。
【００１３】
前記浴槽１０は、本実施形態では、第１浴槽部１１の底壁１１Ｃが全身浴に適した深さ位置にあり、第２浴槽部１２は、第２端壁１２Ｂ側の底部１２Ｃが段部１７を介して高く設けられ、当該底部１２Ｃに着座することで半身浴ができるように設けられている。
【００１４】
図２及び図５に示されるように、前記傾斜側壁１５の上部には、当該傾斜側壁１５のみを支持面として把手２０が固定されている。この把手２０は、図３に示されるように、長楕円に近似した平坦な基端部２１を有するブロック状に設けられている。把手２０において、基端部２１は、その長軸側の長さＷ１が傾斜側壁１５の長さＷ２よりも短く設けられ、これにより、把手２０が傾斜側壁１５のみを支持面として固定されるようになっている。この際、把手２０は、前記長さＷ２の略中間部に固定されている。また、基端部２１には、図３（Ｄ）に示されるように、雌ねじ部２２が二箇所に設けられ、基端部２１を傾斜側壁１５に当接させた状態で、当該傾斜側壁１５の外面側から挿入される図示しないボルトをねじ込むことで把手２０が傾斜側壁１５に固定される。
なお、把手２０の形状は特に限定されるものではないが、本実施形態では、平面視で翼状に設けられており、先端側が曲面状の先細部２０Ａを有する形状とされ、当該先細部２０を手の平に収めるように掴むことができるようになっている。
【００１５】
従って、本実施形態によれば、当該傾斜側壁１５のみを支持面として把手２０を固定したから、ブロック形状の把手１５であっても、浴槽内で立ち上がるときに、把手２０を掴むことで動作の補助として利用することができる。さらに、掴む領域が先細部２０Ａであることから、手の平に納め易く、握る力が弱い人であっても利用することが期待できる。しかも、先細部２０Ａは曲面とされているので、手の平をいためることもない。
【００１６】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００１７】
例えば、前記実施形態では、把手２０は、傾斜側壁１５の長さＷ２の略中間部に固定された場合を図示、説明したが、本発明はこれに限定されるものではなく、傾斜側壁１５を支持面とする限り、第１浴槽部１１や第２浴槽部１２の何れか一方にシフトした位置であってもよい。
また、浴槽１０は、幅が狭い第２浴槽部１２の領域内に半身浴用の底部１２Ｃを設けたが、当該底部１２Ｃは必ずしも設けることを要しない。
【符号の説明】
【００１８】
１０…浴槽、１１…第１浴槽部、１２…第２浴槽部、１３…肘置き部、１５…傾斜側壁、２０…把手
【図１】
2013099374.tif 000003
【図２】
2013099374.tif 000004
【図３】
2013099374.tif 000005
【図４】
2013099374.tif 000006
【図５】
2013099374.tif 000007